(57)【要約】【課題】取り扱い性及び操作性に優れた保温カバーを備えた岩盤浴ベッドを提供する。【解決手段】ベッド本体１の上面に遠赤外線を放射する岩盤２を敷設すると共に、当該岩盤２の下面側に岩盤２を加熱する岩盤用ヒータ３を備えた岩盤浴ベッドにおいて、前記岩盤２を敷設した領域の少なくとも一部を覆うドーム型の保温カバー４を設けると共に、当該保温カバー４の端部を前記ベッド本体１に揺動可能に付設して開閉するように構成した。【選択図】図３
0003137979.tif 000002
【実用新案登録請求の範囲】
【請求項１】
ベッド本体の上面に遠赤外線を放射する岩盤を敷設すると共に、当該岩盤の下面側に岩盤を加熱する岩盤用ヒータを備えた岩盤浴ベッドにおいて、
前記岩盤を敷設した領域の少なくとも一部を覆うドーム型の保温カバーを設けると共に、当該保温カバーの端部を前記ベッド本体に揺動可能に付設して開閉するように構成したことを特徴とする岩盤浴ベッド。
【請求項２】
前記保温カバーの開放方向への揺動を所定の位置で停止すると共に保温カバーを開放状態の姿勢で維持するストッパーを設けた請求項１に記載の岩盤浴ベッド。
【請求項３】
前記岩盤を敷設した領域に、前記岩盤用ヒータにて個別に加熱可能な２つ以上の加熱領域を設定すると共に、当該加熱領域毎に岩盤用ヒータの加熱電源のＯＮ−ＯＦＦの切り換え及び加熱温度の調節を操作するための操作部を設けた請求項１又は２に記載の岩盤浴ベッド。
【請求項４】
前記保温カバーに保温用ヒータを配設すると共に、前記操作部にて前記保温用ヒータの加熱電源のＯＮ−ＯＦＦの切り換え及び加熱温度の調節を操作可能に構成した請求項３に記載の岩盤浴ベッド。
【考案の詳細な説明】
【技術分野】
【０００１】
本考案は、岩盤浴ベッドに関する。
【背景技術】
【０００２】
例えば、特許文献１には、ベッド本体の上面に、遠赤外線を放射する岩盤と、その岩盤を加熱するヒータとを敷設した岩盤浴ベッドが開示されている。利用者がヒータによって温められた岩盤の上に仰臥することで、発汗作用や血流等が活性化され、これによる疲労回復や健康増進が期待されている。
【０００３】
また、保温性と省エネルギー性に優れた岩盤浴ベッドが、特許文献２に開示されている。図８に示すように、この岩盤浴ベッドには、ベッド本体１００の上面に設けた岩盤２００の付設領域を覆うようにドーム型の保温カバー３００が設けられている。
【０００４】
また、上記保温カバー３００は、ベッド本体１００に対して着脱可能に構成されている。すなわち、保温カバー３００を取り外すことで、利用者が保温カバー３００と岩盤２００との間に出入りし易く、また、岩盤２００上の清掃作業も容易に行えるようになっている。
【特許文献１】実登３１１８６４２号公報
【特許文献２】実登３１１６５５８号公報
【考案の開示】
【考案が解決しようとする課題】
【０００５】
しかし、上記特許文献２に示す岩盤浴ベッドにおいて、保温カバーを取り外した場合、その保温カバーを一旦載置するスペースが必要となる。また、保温カバーをベッド本体に取り付ける場合は、保温カバーをベッド本体に対して位置決めしなければならない。従って、特許文献２に記載の保温カバーは、取り扱い性及び操作性に優れないといった欠点がある。
【０００６】
そこで、本考案は斯かる実情に鑑み、取り扱い性及び操作性に優れた保温カバーを備えた岩盤浴ベッドを提供しようとするものである。
【課題を解決するための手段】
【０００７】
請求項１の考案は、ベッド本体の上面に遠赤外線を放射する岩盤を敷設すると共に、当該岩盤の下面側に岩盤を加熱する岩盤用ヒータを備えた岩盤浴ベッドにおいて、前記岩盤を敷設した領域の少なくとも一部を覆うドーム型の保温カバーを設けると共に、当該保温カバーの端部を前記ベッド本体に揺動可能に付設して開閉するように構成したものである。
【０００８】
利用者が保温カバー内から出入りする場合は、保温カバーを揺動させて開放する。従って、従来の着脱式の保温カバーのように、取り外した保温カバーを一旦載置するスペースを確保する必要がない。また、保温カバーを揺動させるだけで閉じることができ、ベッド本体に対して保温カバーを位置決めしなくてもよい。
【０００９】
請求項２の考案は、請求項１に記載の岩盤浴ベッドにおいて、前記保温カバーの開放方向への揺動を所定の位置で停止すると共に保温カバーを開放状態の姿勢で維持するストッパーを設けたものである。
【００１０】
開放方向へ揺動させた保温カバーは、ストッパーによって所定の位置に停止され開放状態の姿勢に維持される。これにより、保温カバーの開閉を行い易くなる。また、保温カバーを必要以上に揺動させることを防止することによって、省スペース化が図れる。
【００１１】
請求項３の考案は、請求項１又は２に記載の岩盤浴ベッドにおいて、前記岩盤を敷設した領域に、前記岩盤用ヒータにて個別に加熱可能な２つ以上の加熱領域を設定すると共に、当該加熱領域毎に岩盤用ヒータの加熱電源のＯＮ−ＯＦＦの切り換え及び加熱温度の調節を操作するための操作部を設けたものである。
【００１２】
これにより、利用者の好み等に応じて、各加熱領域の温度管理を個別に行うことができる。
【００１３】
請求項４の考案は、請求項３に記載の岩盤浴ベッドにおいて、前記保温カバーに保温用ヒータを配設すると共に、前記操作部にて前記保温用ヒータの加熱電源のＯＮ−ＯＦＦの切り換え及び加熱温度の調節を操作可能に構成したものである。
【００１４】
これにより、保温カバーの保温効果を一層高めることが可能である。
【考案の効果】
【００１５】
本考案の岩盤浴ベッドによれば、保温カバーを揺動させて容易に開閉することができ、取り扱い性及び操作性に優れたものとなる。
【考案を実施するための最良の形態】
【００１６】
以下、本考案の実施の形態について、添付の図面を参照して説明する。
図１は本考案の岩盤浴ベッドを示す側面図である。また、図２は前記岩盤浴ベッドの平面図、図３はその断面図である。図１〜図３に示すように、本考案の岩盤浴ベッドは、ベッド本体１と、岩盤２と、岩盤用ヒータ３と、保温カバー４等を備えている。
【００１７】
ベッド本体１は、利用者（岩盤浴サービス利用者）が仰臥する仰臥台５と、仰臥台５の下面に敷設された４本の脚部６とを有する。各脚部６の下端には、床面Ｆを転動可能なロック機構付きキャスター８を備えている。この実施形態では、図１・図２において、利用者はその頭を仰臥台５の右側に、足を左側に向けて仰臥するようになっている。以下、添付の図面に示す岩盤浴ベッドにおいて、仰臥する利用者の頭側を前方、足側を後方、仰臥する方向と直交する方向を側方と呼ぶことにする。なお、「仰臥する」は、直接的には、仰向けに寝る場合を意味するが、ここでは、うつぶせに寝る場合、又は横向きに寝る場合も含める。
【００１８】
仰臥台５は、平面視において長方形に形成されており、その上面の周縁部には、金属製の枠材７が付設されている。また、仰臥台５の前方の端部には、芳香供給器や小物等を載置可能な載置台９が取り付けられている。
【００１９】
図３の断面図に示すように、仰臥台５の上面には、遠赤外線を放射する岩盤２が、複数敷設されている。この実施形態では、岩盤２は、長方形の板状に成形され、仰臥台５の長手方向に５個、長手方向と直交方向に３個、それぞれ連接した合計１５個敷設されている（図２参照）。岩盤２の素材としては、例えば、黒鉛珪石や電気石（トルマリン）等の公知の遠赤外線放射鉱物から任意に選択して採用すればよい。
【００２０】
岩盤２の下面には、岩盤を加熱する岩盤用ヒータ３が敷設されている。この岩盤用ヒータ３には、通電することにより発熱する面状発熱体を採用しており、詳しくは、岩盤２の下方に配設した鋼板の下面に、面状発熱体が付設されている。さらに、岩盤用ヒータ３の下面には、シート状の断熱材１０が敷設されている。
【００２１】
仰臥台５の上記複数の岩盤２を敷設した領域には、岩盤用ヒータ３にて個別に加熱可能な２つの加熱領域が設定されている。詳しくは、図４に示すように、同図の右側の加熱領域Ａと、左側の加熱領域Ｂが設定されている。そして、これら加熱領域Ａ，Ｂに対応するように、２つの岩盤用ヒータ３が配設されている。また、１つの岩盤用ヒータ３を各加熱領域に対応して部分的に加熱するように構成してもよい。
【００２２】
仰臥台５には、岩盤用ヒータ３を操作するための操作部１１が設けられている。この操作部１１によって、各加熱領域Ａ，Ｂに対応する各岩盤用ヒータ３の、加熱電源のＯＮ−ＯＦＦの切り換え、及び、加熱温度の調節を、それぞれ個別に操作可能となっている。また、図５に示すように、操作部１１は、上記各加熱電源のＯＮ−ＯＦＦの切り換えスイッチ及び各加熱温度の調節摘み等を配設した外装筺体１１ａを有する。図５に示すように、この外装筺体１１ａは、未使用のときは仰臥台５に収納可能であり、使用する際にスライドさせて仰臥台５の側面から引き出せるように構成されている。
【００２３】
上記保温カバー４は、半円筒状のドーム型に形成されている。この実施形態では、保温カバー４はＦＲＰ樹脂で成形されている。ただし、保温カバー４の素材はこれに限定されない。保温カバー４は、岩盤２を敷設した領域の後方の端部から前方の端部の幾分か手前までを覆うように配設されている。また、保温カバー４の前方の端部は開口して成形されており、岩盤２の上に仰臥した利用者の頭が、保温カバー４の開口部から外部へ露出するようになっている。
【００２４】
図３に示すように、保温カバー４の側方の一端（図３において、右端）は、ヒンジ等の枢着具によってベッド本体１に揺動可能に枢着され、開閉するように構成されている。一方、保温カバー４の枢着された端部と反対側の端部側の外面には、保温カバー４を開閉するために把持する取手１３が付設されている。
【００２５】
また、保温カバー４の枢着された端部の近傍には、保温カバー４の開放方向への揺動を所定の位置で停止させるストッパー１２が、仰臥台５の長手方向に等間隔に複数配設されている。この保温カバー４の開放方向の揺動を停止させる所定の位置とは、例えば、利用者が仰臥台５へ仰臥する際に保温カバー４が邪魔にならない位置、又は、岩盤浴サービス提供者が保温カバー４を開閉する際に取手１３を把持し易い位置等である。
【００２６】
図６に示すように、ストッパー１２は、その上面に保温カバー４を受ける傾斜面１２ａを形成した楔状の部材である。この傾斜面１２ａの傾斜角度を変更することで、保温カバー４の揺動の停止位置を調整することができる。この実施形態では、傾斜面１２ａは、保温カバー４を開放状態の姿勢で維持可能な角度で設定されている。
【００２７】
また、保温カバー４の内面に、リボン状発熱体から成る保温用ヒータ１４が複数付設されている。これら保温用ヒータ１４の加熱電源のＯＮ−ＯＦＦの切り換え、及び加熱温度の調節は、上記操作部１１によって操作可能に構成されている。また、保温カバー４の内面に、遠赤外線を放射可能なトルマリンシートを付設してもよい（図示省略）。
【００２８】
図７は、保温カバー４を後方から見た図である。図７に示すように、保温カバー４の後方の端部は半円状の板体４ａによって閉塞されている。この板体４ａには、内外を連通する窓部１５が貫設されている。そして、この窓部１５を開放・閉塞する蓋部材１６が、板体４ａの外面に揺動可能に付設されている。さらに、板体４ａの外面には、蓋部材１６の揺動する端部を、窓部１５を閉塞する位置に位置決め支持する位置決め部材１７が付設されている。
【００２９】
以下、上述の岩盤浴ベッドの使用方法ついて説明する。
利用者が岩盤２上に仰臥する場合は、保温カバー４を揺動して開放状態にする。利用者が仰臥した後、保温カバー４を反対方向に揺動させて閉じ、保温カバー４で利用者の身体を覆う。岩盤２は、予め岩盤用ヒータ３によって温められており、仰臥している利用者に岩盤２から遠赤外線が照射される。この岩盤２から発せられる遠赤外線と熱により、発汗作用や血流等が活性化される。
【００３０】
操作部１１を操作することによって、各加熱領域Ａ，Ｂの岩盤用ヒータ３の加熱温度を調節することができる。これにより、利用者の頭側の加熱領域Ａにおける岩盤２の温度と、足側の加熱領域Ｂにおける岩盤２の温度を、利用者の好み等に応じてそれぞれ個別に調節することができる。また、操作部１１を操作して、保温カバー４の保温用ヒータ１４を加熱することで、保温カバー４の保温効果を一層高めることができる。
【００３１】
また、保温カバー４の後方端部の蓋部材１６を開けることにより、開放された窓部１５から芳香供給器等を内部へ配置したり、利用者の足のマッサージ等を行うことができる。すなわち、保温カバー４を閉じた状態でこれらの作業を行うことができるので、高い保温効果を維持することが可能である。
【００３２】
利用者が岩盤浴を終えて、保温カバー４内から出る場合は、再度保温カバー４を開放する。
【００３３】
本考案の岩盤浴ベッドは、保温カバー４がベッド本体１に揺動して開放するように構成されているので、従来の着脱式の保温カバーのように、取り外した保温カバーを一旦載置するスペースを確保する必要がない。また、保温カバー４を揺動させるだけで閉じることができ、ベッド本体１に対して保温カバー４を位置決めしなくてもよい。
【００３４】
開放方向へ揺動させた保温カバー４は、ストッパー１２によって所定の位置に停止され開放状態の姿勢で維持される。これにより、保温カバー４の開閉を行い易くなる。また、保温カバー４を必要以上に揺動させることを防止することができるので、省スペース化も図り得る。
【００３５】
以上、本考案の実施の一形態について説明したが、本考案は上述の実施形態に限定されるものではなく、本考案の要旨を逸脱しない範囲で、種々の変更を加え得ることは勿論である。上述の実施形態では、岩盤の加熱領域は、利用者の頭側と足側の２つに設定されているが、加熱領域をさらに多く（３つ以上）設定して、岩盤の温度を利用者の身体の各部に対応して管理できるように構成してもよい。
【図面の簡単な説明】
【００３６】
【図１】本考案の岩盤浴ベッド実施の一形態を示す側面図である。
【図２】前記岩盤浴ベッドの平面図である。
【図３】前記岩盤浴ベッドの断面図である。
【図４】前記岩盤浴ベッドの平面図である。
【図５】前記岩盤浴ベッドの要部を拡大した平面図である。
【図６】前記岩盤浴ベッドの要部を拡大した断面図である。
【図７】前記岩盤浴ベッドの保温カバーを後方から見た背面図である。
【図８】従来の岩盤浴ベッドの断面図である。
【符号の説明】
【００３７】
１    ベッド本体
２    岩盤
３    岩盤用ヒータ
４    保温カバー
１１  操作部
１２  ストッパー
１４  保温用ヒータ
【図１】
0003137979.tif 000003
【図２】
0003137979.tif 000004
【図３】
0003137979.tif 000005
【図４】
0003137979.tif 000006
【図５】
0003137979.tif 000007
【図６】
0003137979.tif 000008
【図７】
0003137979.tif 000009
【図８】
0003137979.tif 000010